(57)【特許請求の範囲】
【請求項１】
左右一方の肩部から背部を通過して左右他方の脇腹部に至る部分が、左右一方の肩部から背部を通過して左右他方の脇腹部に至る方向の単位伸長量により生じる復元力が当該方向に沿う線に対して対角線をなす方向の単位伸長量により生じる復元力より大きい第１の高復元力部材によって構成され、
前記第１の高復元力部材は、シャツ素材の表面に樹脂塗装を転写プリントされたものであって、所定間隔をおいて互いに並行する複数個の帯体によって構成され、
互いに隣接する前記帯体の離間ピッチが、肩部から背部上部までは一定値をもって小さく、背部上部から脇腹下部に向かうに従って徐々に大きくなっているゴルフ用シャツ。
【請求項２】
左右一方の肩部から背部を通過して左右他方の脇腹部に至る方向の単位伸長量により生じる復元力が当該方向に沿う線に対して対角線をなす方向の単位伸長量により生じる復元力より大きいゴルフ用シャツであって、
単位伸長量により生じる復元力に関して異方性を有する織布により構成され、前記異方性によって左右一方の肩部から背部を通過して左右他方の脇腹部に至る方向の復元力が、当該方向に対して対角線をなす方向の復元力より大きいゴルフ用シャツ。
【請求項３】
背部の首部から裾部に至る部分の左右方向の中央部がシャツ素材より前記復元力が大きい第２の高復元力部材によって構成されている請求項１又は２に記載のゴルフ用シャツ。
【請求項４】
利き腕の袖がラグラン袖で、反対の腕の袖がセットイン袖である請求項１〜３の何れか一項に記載のゴルフ用シャツ。
【発明の詳細な説明】
【技術分野】
【０００１】
本発明は、ゴルフ用シャツに関し、更に詳細には、部分的に高復元力部を含む機能性ゴルフ用シャツに関する。
【背景技術】
【０００２】
ゴルフプレー時に着用するアンダーウェア等のゴルフ用シャツとして、スイング時の生地のひきつれによる圧迫感を軽減すべく、左右の袖部及び脇腹部のパーツと前身頃及び後身頃のパーツとが、これらパーツより高伸縮性を有する伸縮パーツを介して縫合されたものが知られている（例えば、特許文献１）。
【０００３】
上半身の前傾姿勢を矯正するゴルフシャツとして、前身頃側で左右両肩部から左右両脇下部に各々延在し、後身頃側で右肩部から左脇下部及び左肩部から右脇下部に各々延在し、背部でＸ状にクロスするたすき掛け状にゴム紐を縫着されたものが知られている（例えば、特許文献２）。
【０００４】
背部の動きをサポート（抑制）する機能性衣類として、背部において右肩部から左脇下部に至る部分と左肩部から右脇下部に至る部分とが帯状の高緊締部（Ｘ状高緊締部）によって構成されたものが知られている（例えば、特許文献３）。
【先行技術文献】
【特許文献】
【０００５】
【特許文献１】特許第５１５０６８１号公報
【特許文献２】特許第５１６４４６８号公報
【特許文献３】特許第４５８０８０７号公報
【発明の概要】
【発明が解決しようとする課題】
【０００６】
アドレス位置よりトップ位置までゴルフクラブを持ち上げるバックスイング時には、背骨を軸とした上半身の捩れにより、右利きの場合には広背筋及び僧帽筋が左肩部から右脇腹部に掛けて伸長し、左利きの場合には広背筋及び僧帽筋が右肩部から左脇腹部に掛けて伸長する。
【０００７】
バックスイング時に、プレーヤが、広背筋及び僧帽筋の伸長方向と同方向で上半身の捩れの進行に伴って増大する伸長力（溜め力相当）を感じ、スイングの姿勢を意識することは、バックスイングの矯正に寄与すると考えられる。
【０００８】
このようなスイング時の抵抗力は、高い復元性を有するパーツをゴルフ用シャツに設け、バックスイング時に高復元性パーツが広背筋及び僧帽筋の伸長方向の同方向に伸長することにより得ることができる。
【０００９】
しかしながら、上述した従来のゴルフ用シャツは、伸縮パーツあるいはゴム紐が、圧迫感の軽減や姿勢の矯正を目的として、左右対称に設けられており、スイングの適正化を意図していない。
【００１０】
Ｘ状高緊締部を有する機能性衣類は、右利きのゴルファの場合は、バックスイング時に左肩部から右脇下部に至る部分の高緊締部が広背筋及び僧帽筋の伸長方向に近い方向に伸長して抵抗力を与えたとしても、フォロースイング時には右肩部から左脇下部に至る部分の高緊締部が伸長してフォロースイングに抵抗力を与えることになり、フォロースイングの障害になる。
【００１１】
本発明が解決しようとする課題は、フォロースイングに障害を与えることなく、バックスイングの矯正に寄与するゴルフ用シャツを得ることである。
【課題を解決するための手段】
【００１２】
本発明によるゴルフ用シャツは、左右一方の肩部から背部を通過して左右他方の脇腹部に至る方向の単位伸長量により生じる復元力が、当該方向に対して対角線をなす方向の単位伸長量により生じる復元力より大きい。
【００１３】
この構成によれば、バックスイング時に上半身の捩れに伴って広背筋及び僧帽筋が、右利きでは右肩部から左脇腹部に掛けて伸長し、左利きでは左肩部から右脇腹部に掛けて伸長することに応じて大きい復元力（伸長力）が生じ、プレーヤは、背骨を軸とした上半身の捩れを伴った正しいバックスイングを行ったかを、感じ取ることができ、繰り返しのスイングによってバックスイングを矯正することができる。
【００１４】
ダウンスイングからフィニッシュに至るフォロースイング時には、バックスイング時とは逆の上半身の捩れに伴って広背筋及び僧帽筋がバックスイング時と逆方向に伸長するが、この伸長方向と同方向には大きい復元力が生じることがなく、フォロースイングの障害になる抵抗力をプレーヤに与えることがない。
【００１５】
本発明によるゴルフ用シャツは、好ましい一つの実施形態として、左右一方の肩部から背部を通過して左右他方の脇腹部に至る部分が、シャツ素材より前記復元力が大きい帯状の第１の高復元力部材（４２）によって構成されている。
【００１６】
この構成によれば、帯状の第１の高復元力部材（４２）が設けられることにより、左右一方の肩部から背部を通過して左右他方の脇腹部に至る部分が、局部的に高復元力部になり、左右一方の肩部から背部を通過して左右他方の脇腹部に至る方向の単位伸長量により生じる復元力が、当該方向に対して対角線をなす方向の単位伸長量により生じる復元力より大きいことが的確に得られる。
【００１７】
本発明によるゴルフ用シャツは、好ましくは、前記第１の高復元力部材（４２）がシャツ素材の表面に樹脂塗装を転写プリントしたものである。
【００１８】
この構成によれば、第１の高復元力部材（４２）を含むゴルフ用シャツを生産性よく製造することができる。
【００１９】
本発明によるゴルフ用シャツは、好ましくは、前記第１の高復元力部材（４２）は所定間隔をおいて互いに並行する複数個の帯体（４２Ａ、４２Ｂ、４２Ｃ、４２Ｄ）によって構成されている。
【００２０】
この構成によれば、第１の高復元力部材（４２）の全体が一本の幅広帯状に形成されている場合に比して、第１の高復元力部材（４２）が前記対角線をなす方向の復元力を不必要に増大することが抑制される。
【００２１】
本発明によるゴルフ用シャツは、好ましくは、互いに隣接する前記帯体（４２Ａ、４２Ｂ、４２Ｃ、４２Ｄ）の離間ピッチが、肩部から背部上部までは一定値をもって小さく、背部上部から脇腹下部に向かうに従って徐々に大きくなっている。
【００２２】
この構成によれば、高復元力部（４２）の広がりが僧帽筋及び背広筋の表面形状に似合ったものになり、上半身の捩れによる広背筋及び僧帽筋の伸長をより的確に感じることができる。
【００２３】
本発明によるゴルフ用シャツは、好ましい他の一つの実施形態として、単位伸長量により生じる復元力に関して異方性を有する織布により構成され、前記異方性によって左右一方の肩部から背部を通過して左右他方の脇腹部に至る方向の前記復元力が、当該方向に対して対角線をなす方向の前記復元力より大きい。
【００２４】
この構成によれば、織布の異方性によって別パーツを必要とすることなく左右一方の肩部から背部を通過して左右他方の脇腹部に至る方向の前記復元力が、当該方向に対して対角線をなす方向の前記復元力より大きくなる。
【００２５】
本発明によるゴルフ用シャツは、好ましくは、更に、背部の首部から裾部に至る部分の中央部がシャツの大部分をなすシャツ素材より前記復元力が大きい第２の高復元力部材（４４）によって構成されている。
【００２６】
この構成によれば、第２の高復元力部材（４４）によって前かがみの姿勢を矯正する効果が得られる。
【００２７】
本発明によるゴルフ用シャツは、好ましくは、利き腕の袖がラグラン袖（１８）で、反対の腕の袖がセットイン袖（１６）である。
【００２８】
この構成によれば、可動域が大きい利き腕の運動が圧迫感や拘束感を感じることがなく、利き腕でない腕側では、鎖骨からのサポートラインに影響をもたらすことがなく、肩が落ちるような着崩れが生じ難くなる。
【発明の効果】
【００２９】
本発明によるゴルフ用シャツによれば、フォロースイングに障害を与えることなく、バックスイングを矯正する効果が得られる。
【図面の簡単な説明】
【００３０】
【図１】本発明によるゴルフ用シャツを右利きプレーヤ用に適用した実施形態１の背面図。
【図２】実施形態１のゴルフ用シャツの正面図。
【図３】実施形態１のゴルフ用シャツを着用したプレーヤのバックスイング状態を示す背面図。
【図４】本発明によるゴルフ用シャツを右利きプレーヤ用に適用した実施形態２の背面図。
【図５】本発明によるゴルフ用シャツを左利きプレーヤ用に適用した実施形態３の背面図。
【図６】実施形態３のゴルフ用シャツの正面図。
【図７】本発明によるゴルフ用シャツを右利きプレーヤ用に適用した実施形態４の背面図。
【発明を実施するための形態】
【００３１】
以下に、本発明によるゴルフ用シャツを右利きプレーヤ用に適用した実施形態１を、図１、図２を参照して説明する。
【００３２】
ゴルフ用シャツ１０は、インナシャツ等であり、前見頃１２と、後見頃１４と、左袖パーツ１６と、右袖パーツ１８と、首パーツ２０とを縫合したものである。前見頃１２、後見頃１４を含むこれら縫合パーツはナイロンやポリウレタン等による伸縮性を有する織布を裁断したものによって構成されている。ここで、これら縫合パーツを構成する織布をシャツ素材と呼ぶ。
【００３３】
前見頃１２と後見頃１４との縫合は左右側部の縫合部２２と左前肩部の縫合部２３とによって行われている。左袖パーツ１６は、セットアップ長袖をなすべく裁断され、縫合部２４によって前見頃１２と後見頃１４と後述する通気パーツ３０とに縫い合わされている。右袖パーツ１８は、肩部を含むラグラン長袖をなすべく裁断され、縫合部２６によって前見頃１２と後見頃１４と通気パーツ３６に縫い合わされていると共に縫合部２８によって首パーツ２０とに縫い合わされている。首パーツ２０は、ハイネックをなすべく裁断され、縫合部２８によって前見頃１２と後見頃１４と右袖パーツ１８とに縫い合わされている。
【００３４】
左右の脇下部乃至同側の脇腹上部は、ポリエステルやポリウレタン等によるメッシュ部材による通気パーツ３０、３６による通気部になっている。左側の通気パーツ３０は、縫合部３２及び３４によって前見頃１２と後見頃１４とに縫い合わされていると共に前述の縫合部２４によって左袖パーツ１６に縫い合わされている。右側の通気パーツ３６は、縫合部３８及び４０によって前見頃１２と後見頃１４とに縫い合わされていると共に前述の縫合部２６によって右袖パーツ１８に縫い合わされている。
【００３５】
このようにしてゴルフ用シャツ１０は、右袖がラグラン袖で、左袖がセットイン袖の脇下通気部付きのハイネック長袖シャツをなす。
【００３６】
なお、縫合部２２、２３、２６、３２、３４、３８、４０は、縫い代重ねのステッチ縫いであり、縫合部２４、２８は、縫い代が内側折り返しのステッチ縫いである。
【００３７】
後見頃１４の左肩前部（左鎖骨付近）から左肩頂部を越えて背部を斜めに通過して右脇腹下部に至る部分には、単位伸長量により生じる復元力（緊締力）がシャツ素材の同復元力より大きい材質による帯状の高復元力部（第１の高復元力部材）４２が設けられている。なお、以下の説明では、単位伸長量により生じる復元力を単に復元力と呼ぶ。
【００３８】
高復元力部４２は、ポリウレタン樹脂塗料を後見頃１４の表面に所定の転写層厚をもって転写プリントされた所定間隔をおいて互いに並行する４本の帯体４２Ａ、４２Ｂ、４２Ｃ、４２Ｄによって構成されている。帯体４２Ａ、４２Ｂ、４２Ｃ、４２Ｄの転写層厚は所要の復元力を得るのに必要な値に設定されている。互いに隣接する帯体４２Ａ、４２Ｂ、４２Ｃ、４２Ｄの離間ピッチは、縫合部２３側、つまり左肩の前側から背部上部までは一定値をもって小さく、背部上部から右脇腹下部に向かうに従って徐々に大きくなっている。なお、最も左右内側の帯体４２Ｄの下端は後見頃１４の裾部１５に至っている。
【００３９】
これにより、ゴルフ用シャツ１０は、高復元力部４２の存在により、左肩部から背部を通過して右脇腹部に至る方向の復元力が、当該方向に沿う直線に対して対角線をなす方向、つまり、右肩部から背部を通過して左脇腹部に至る方向の復元力より大きいものになる。復元力が大きいことは、引張ばねのばね定数が大きいことと等価である。ここで対角線とは、後見頃が略矩形であるとして後見頃の右上隅と左隅部とを結ぶ直線である。
【００４０】
ゴルフ用シャツ１０は、図３に示されているように、裾部をパンツ（ズボン）のベルト部の内側に入れられて着用される。右利きのプレーヤがアドレス位置よりトップ位置まで、背骨を軸として上半身の捩りつつゴルフクラブを持ち上げるバックスイングを行うと、上半身の捩れに伴って広背筋及び僧帽筋が左肩部から右脇腹部に掛けて伸長する。
【００４１】
ゴルフ用シャツ１０が上述の如く着用されていると、バックスイングにおける上半身の捩れによって、高復元力部４２が高復元性に抗して伸長するから、ゴルフ用シャツ１０を着用した右利きのプレーヤは、広背筋及び僧帽筋の伸長方向と同方向で上半身の捩れの進行に伴って増大する伸長力を広背筋及び僧帽筋の部位と同じ部位で感じる。
【００４２】
これにより、プレーヤは、感じ取る伸長力によってスイングの姿勢を意識することができ、背骨を軸とした上半身の捩れを伴った正しいバックスイングを行ったかを感じ取ることで、繰り返しのスイングによってバックスイングを矯正することができる。このようにして、高復元力部４２はバックスイングを矯正することに有効に寄与する。
【００４３】
互いに隣接する帯体４２Ａ、４２Ｂ、４２Ｃ、４２Ｄの離間ピッチは、縫合部２３側、つまり左肩側から背部上部までは一定値をもって小さく、背部上部から右脇腹下部に向かうに従って徐々に大きくなっていることにより、高復元力部４２の広がりが僧帽筋及び背広筋の表面形状に似合ったものになるから、上半身の捩れによる広背筋及び僧帽筋の伸長を、高復元力部４２が生じる伸長力によって、より的確に感じることができ、上述の効果がより顕著なものになる。
【００４４】
高復元力部４２が幅狭の帯体４２Ａ、４２Ｂ、４２Ｃ、４２Ｄによって構成されていることは、高復元力部４２の全体が一本の幅広帯状に形成されている場合に比して、高復元力部４２が右肩部から背部を通過して左脇腹部に至る方向の復元力が不必要に増大することを抑制する。
【００４５】
ダウンスイング時には、伸長した高復元力部４２が収縮した元の状態に戻る際に生じる復元力がダウンスイング時の上半身の動きと同方向に作用するから、ダウンスイングをアシスト（加速）する効果も生じる。
【００４６】
ダウンスイングからフィニッシュに至るフォロースイング時には、バックスイング時とは逆の上半身の捩れに伴って広背筋及び僧帽筋が右肩部から左脇腹部に掛けて伸長するが、ゴルフ用シャツ１０は、この伸長方向と同方向に伸長する高復元力部を有さないから、フォロースイング時に、ゴルフ用シャツ１０が伸長力を生じことがなく、フォロースイングに対抗する抵抗力（ブレーキ）をプレーヤに与えることがない。これにより、フォロースイングが障害なく行われる。
【００４７】
高復元力部４２は左右の肩甲骨の部位を避けて設けられており、肩甲骨の部位は高復元力部４２が存在しないフリーゾーンになっているから、ゴルフ用シャツ１０がプレーヤの肩甲骨の動きを妨げることがない。
【００４８】
このようにして、ゴルフ用シャツ１０は、右利きプレーヤにおいて、フォロースイングに障害を与えることなく、また肩甲骨の動きを妨げることなくバックスイングを矯正することに有効に寄与する。
【００４９】
ゴルフ用シャツ１０では、高復元力部４２によって左肩部から背部を通過して右脇腹部に至る部分が、局部的に高復元力部になるから、左肩部から右脇腹部に至る方向の復元力が、当該方向に対して対角線をなす方向の復元力より大きいことが的確に得られる。高復元力部４２がシャツ素材の表面に樹脂塗装を転写プリントしたものであることにより、高復元力部４２を含むゴルフ用シャツを生産性よく製造することができ、さらには、高復元力部４２が所定間隔をおいて互いに並行する複数個の帯体４２Ａ、４２Ｂ、４２Ｃ、４２Ｄによって構成されていることにより、高復元力部４２の全体が一本の幅広帯状に形成されている場合に比して、高復元力部４２が前記対角線をなす方向の復元力を不必要に増大することが抑制される。
【００５０】
ゴルフ用シャツ１０は、右袖が右袖パーツ１８による動き易いラグラン袖であるから、左袖に比して可動域が大きい利き腕（右腕）の運動が圧迫感や拘束感を感じることがない。左袖が左袖パーツ１６による肩落ちし難いセットイン袖であるから、右腕に比して可動域が小さい左腕では、鎖骨からのサポートラインに影響をもたらすことがなく、肩が落ちるような着崩れが生じ難くなる。
【００５１】
次に、本発明によるゴルフ用シャツを右利きプレーヤ用に適用した実施形態２を、図４を参照して説明する。なお、図４において、図１に対応する部分は、図１に付した符号と同一の符号を付けて、その説明を省略する。
【００５２】
この実施形態のゴルフ用シャツ５０では、スイング矯正用の高復元力部４２に加えて姿勢矯正用の高復元力部（第２の高復元力部材）４４が後見頃１４に設けられている。高復元力部４４は、互いに並行する３本の帯体４４Ａ、４４Ｂ、４４Ｃによって構成され、首パーツ２０の縫合部２８の左右中央より少し右肩側に偏倚した部位より裾部１５の左右中央より少し左側に偏倚した部位まで後見頃１４のほぼ中央部を上下方向に延在している。帯体４４Ａ、４４Ｂ、４４Ｃは、ポリウレタン樹脂塗料を所定のパターンで転写プリントしたものであり、互いに隣接する帯体４４Ａ、４４Ｂ、４４Ｃの離間ピッチが、縫合部２８側、つまり首側で一定値をもって小さく、裾部１５に向かうに従って徐々に大きくなっている。
【００５３】
ゴルフ用シャツ５０が前述の実施形態と同様に着用されることにより、上半身が前かがみになることに応じて高復元力部４４が高復元性に抗して伸長する。これにより、ゴルフ用シャツ５０を着用したプレーヤは、フォロースイングに影響を与えることなく、前かがみになるほど増大する伸長力を背部に前かがみと同方向に感じ、前かがみの度合いを意識して姿勢を正しい姿勢に矯正することができる。
【００５４】
これにより、ゴルフ用シャツ５０は、高復元力部４２によるバックスイング矯正効果に加えて、高復元力部４４によって前かがみの姿勢矯正効果を奏する。
【００５５】
次に、本発明によるゴルフ用シャツを左利きプレーヤ用に適用した実施形態３を、図５、図６を参照して説明する。なお、図５、図６において、図１、図２に対応する部分は、図１、図２に付した符号と同一の符号を付けて、その説明を省略する。
【００５６】
左利きプレーヤ用のゴルフ用シャツ６０は、実施形態１の右利きプレーヤ用のゴルフ用シャツ１０を左右反転したものであり、バックスイング矯正用の高復元力部４２が後見頃１４の右肩部から背部を斜めに通過して左脇腹下部に至る部分に設けられている。
【００５７】
ゴルフ用シャツ６０でも、高復元力部４２は、ポリウレタン樹脂塗料を後見頃１４の表面に所定の転写層厚をもって転写プリントされた所定間隔をおいて互いに並行する４本の帯体４２Ａ、４２Ｂ、４２Ｃ、４２Ｄによって構成されている。互いに隣接する帯体４２Ａ、４２Ｂ、４２Ｃ、４２Ｄの離間ピッチは、縫合部２３側、つまり右肩の前側から背部上部までは一定値をもって小さく、背部上部から左脇腹下部に向かうに従って徐々に大きくなっている。
【００５８】
左利きのプレーヤでは、バックスイング時に上半身の捩れに伴って広背筋及び僧帽筋が右肩部から左脇腹部に掛けて伸長するから、同伸長に応じて高復元力部４２が高復元性に抗して伸長する。
【００５９】
これにより、プレーヤは、背骨を軸とした上半身の捩れを伴った正しいバックスイングを行ったかを、広背筋及び僧帽筋の伸長方向と同方向で且つ広背筋及び僧帽筋の部位と同じ部位で上半身の捩れの進行に伴って増大する伸長力によって感じ取ることができる。
【００６０】
ダウンスイングからフィニッシュに至るフォロースイング時には、バックスイング時とは逆の上半身の捩れに伴って広背筋及び僧帽筋が左肩部から右脇腹部に掛けて伸長するが、ゴルフ用シャツ６０は、この伸長方向と同方向に伸長する高復元力部を有さないから、フォロースイング時に抵抗力をプレーヤに与えることがない。これにより、フォロースイングが障害なく行われる。
【００６１】
このようにして、ゴルフ用シャツ６０は、左利きプレーヤにおいて、フォロースイングに障害を与えることなく、バックスイングを矯正することに有効に寄与する。
【００６２】
左利きプレーヤ用のゴルフ用シャツ６０では、左袖がラグラン袖で、右袖がセットイン袖になっている。これにより、利き腕の袖がラグラン袖になり、反対の腕の袖がセットイン袖になるので、可動域が大きい利き腕の運動が圧迫感や拘束感を感じることがなく、利き腕でない腕側では、鎖骨からのサポートラインに影響をもたらすことがなく、肩が落ちるような着崩れが生じ難くなる。
【００６３】
次に、本発明によるゴルフ用シャツを右利きプレーヤ用に適用した実施形態４を、図７を参照して説明する。なお、図７において、図１に対応する部分は、図１に付した符号と同一の符号を付けて、その説明を省略する。
【００６４】
この実施形態のゴルフ用シャツ７０は、後見頃１４が、経糸Ａがナイロン糸やポリエステル糸で、緯糸Ｂがポリウレタン糸やゴム糸等を含む高弾性糸であることにより、単位伸長量により生じる復元力に関して異方性を有する織布を、緯糸Ｂが左肩部から背部を通過して右脇腹部に至る方向に延在するようにバイアス裁断したものによって構成されている。
【００６５】
これにより、緯糸Ｂが高復元力部材をなし、左肩部から背部を通過して左脇腹部に至る方向の復元力が、当該方向に対して対角線をなす方向（経糸Ａの延在方向）の復元力より大きい。従って、実施形態４でも実施形態１と同様に、フォロースイングに障害を与えることなく、スイング矯正効果が得られる。
【００６６】
この実施形態では、高復元力部をなす別パーツを必要としないので、ゴルフ用シャツ７０を安価に製造することができる。
【００６７】
以上、本発明を、その好適な実施形態について説明したが、当業者であれば容易に理解できるように、本発明はこのような実施形態により限定されるものではなく、本発明の趣旨を逸脱しない範囲で適宜変更可能である。
【００６８】
例えば、高復元力部４２、４４は、ポリウレタン樹脂塗料によるものに限られることなく、ポリウレタン樹脂塗料と等価の樹脂塗料の転写層等、シャツ素材より復元力が大きい材料によるものであればよく、また転写プリントによらずに、パワーネット等、シャツ素材より復元力が大きい布地パーツ等の縫い付けであってもよい。また、高復元力部４２、４４を構成する帯体の個数も、特定の個数に限られることはない。
【００６９】
また、左利きプレーヤ用のゴルフ用シャツでも姿勢矯正効果を有する高復元力部４４が設けられていてもよい。ゴルフ用シャツは、ハイネックシャツに限られることはなく、ラウンドネックシャツ等であってもよく、また半袖シャツや袖無しシャツでもよい。本発明によるゴルフ用シャツは、リバーシブル仕様によって、右利きと左利きの兼用になる。
【００７０】
また、上記実施形態に示した構成要素は必ずしも全てが必須なものではなく、本発明の趣旨を逸脱しない限りにおいて適宜取捨選択することが可能である。
【符号の説明】
【００７１】
１０    ゴルフ用シャツ
１２    前見頃
１４    後見頃
１５    裾部
１６    左袖パーツ
１８    右袖パーツ
２０    首パーツ
２２    縫合部
２３    縫合部
２４    縫合部
２６    縫合部
２８    縫合部
３０    通気パーツ
３２    縫合部
３６    通気パーツ
３８    縫合部
４０    縫合部
４２    高復元力部（第１の高復元力部材）
４４    高復元力部（第２の高復元力部材）
５０    ゴルフ用シャツ
６０    ゴルフ用シャツ
７０    ゴルフ用シャツ
Ａ      経糸
Ｂ      緯糸
【図１】
0006400376.tif 000002
【図２】
0006400376.tif 000003
【図３】
0006400376.tif 000004
【図４】
0006400376.tif 000005
【図５】
0006400376.tif 000006
【図６】
0006400376.tif 000007
【図７】
0006400376.tif 000008